(57)【要約】【課題】小形のボックス型ファンを用いても、着霜による異常音の発生や羽根の回転停止などが生じない冷凍冷蔵ショーケースのボックス型ファンを得る。【解決手段】ボックス型ファン５によって冷凍冷蔵ショーケースの陳列室１に冷気が循環供給される。ボックス型ファン５は、通風口１１を有する取付枠１２と、３枚の羽根１３を一体化したモータ１４とを含む。取付枠１２は、外周枠部材１５と、通風口１１の中央にモータ１４を支持固定するボス部材１６と、外周枠部材１５とボス部材１６とをつなぐ４本のステー部材１７とを含む。取付枠１２と羽根１３とは、ガラス繊維入りの合成樹脂材でそれぞれ成形されており、外周枠部材１５と、ステー部材１７と、羽根１３との外表面とに、高撥水性の塗料からなる塗膜が形成されている。【選択図】図１
2005120991.tif 000002
【特許請求の範囲】
【請求項１】
冷凍冷蔵ショーケースの陳列室１に冷気を循環供給するためのボックス型ファンであって、
通風口１１を有する取付枠１２と、羽根１３を一体化したモータ１４とを含み、
取付枠１２が、外周枠部材１５と、通風口１１の中央にモータ１４を支持固定するボス部材１６と、外周枠部材１５とボス部材１６とをつなぐステー部材１７とを含み、
取付枠１２と羽根１３とが、ガラス繊維入りの合成樹脂材でそれぞれ成形されており、
外周枠部材１５の少なくとも通風口１１に臨む内壁面と、ステー部材１７と、羽根１３との外表面とに、高撥水性の塗料からなる塗膜が形成されていることを特徴とする冷凍冷蔵ショーケースのボックス型ファン。
【請求項２】
高撥水性の塗料として、塗膜２１と水滴２２との静止接触角Ｔが１５０°〜１８０°になる塗料が用いられている請求項１記載の冷凍冷蔵ショーケースのボックス型ファン。
【発明の詳細な説明】
【技術分野】
【０００１】
本発明は、冷凍冷蔵ショーケースの陳列室に冷気を循環供給するための冷凍冷蔵ショーケースのボックス型ファンに関する。
【背景技術】
【０００２】
特許文献１・２には、熱交換器で冷却した冷気を陳列室内に循環供給して、陳列室内の商品を冷却する冷凍冷蔵ショーケースの送風ファンが開示されている。特許文献１・２の送風ファンは、羽根の表面に撥水性メッキを施し、あるいは撥水性塗料を塗布して、羽根に対する着霜の低減化を図っている。
【０００３】
【特許文献１】特開平１１−２１１３２７号公報（段落番号００１３、図１−３）
【特許文献２】特開平１１−２８１２３２号公報（段落番号００２０、図１）
【発明の開示】
【発明が解決しようとする課題】
【０００４】
この種の送風ファンにあっては、取り付け作業の容易性や製作コストなどの点から小形のボックス型ファンが用いられている。かかるボックス型ファンは、図１および図２に示すごとく、通風口１１を有する取付枠１２と、羽根１３を備えたモータ１４とを含み、取付枠１２が、外周枠部材１５と、通風口１１の中央にモータ１４を支持固定するボス部材１６と、外周枠部材１５とボス部材１６とをつなぐステー部材１７とを含んでいる。
【０００５】
本発明者が、冷凍冷蔵ショーケースに小形のボックス型ファンを取り付けて検討したところ、羽根１３が、取付枠１２の通風口１１に臨む内壁面やステー部材１７に近接しているため、いくら羽根１３への着霜を防止しても、羽根１３が、取付枠１２やステー１７に付着の霜に接触することを知った。
【０００６】
この場合、前記接触による異常音の発生や羽根１３の回転停止などを招く。特に取付枠１２、ステー部材１７および羽根１３を金属製にすると、冷却されやすくなって着霜量が多くなり、前記異常音の発生を更に招きやすくなる。
【０００７】
そこで本発明の目的は、小形のボックス型ファンを用いても、着霜による異常音の発生や羽根の回転停止などが生じないようにすることにある。
【課題を解決するための手段】
【０００８】
本発明は、図３に示すごとく、冷凍冷蔵ショーケースの陳列室１に冷気を循環供給するボックス型ファンを対象にする。ボックス型ファン５は、図１および図２に示すごとく、通風口１１を有する取付枠１２と、羽根１３を一体化したモータ１４とを含み、取付枠１２が、外周枠部材１５と、通風口１１の中央にモータ１４を支持固定するボス部材１６と、外周枠部材１５とボス部材１６とをつなぐステー部材１７とを含み、取付枠１２と羽根１３とが、ガラス繊維入りの合成樹脂材でそれぞれ成形されており、外周枠部材１５の少なくとも通風口１１に臨む内壁面と、ステー部材１７と、羽根１３との外表面とに、高撥水性の塗料からなる塗膜が形成されていることを特徴とする。
【０００９】
高撥水性の塗料としては、図４に示す塗膜２１と水滴２２との静止接触角Ｔが１５０°〜１８０°になる塗料を用いることができる。
【発明の効果】
【００１０】
本発明によれば、羽根１３のみならず、取付枠１２の通風口１１に臨む内壁面やステー部材１７の外表面にも高撥水性の塗膜を形成したので、羽根１３と、通風口１１に臨む内壁面と、ステー部材１７との着霜が低減されて、着霜による異常音の発生や羽根１３の回転停止などを確実に防止できる。
【００１１】
しかも、取付枠１２と羽根１３とをガラス繊維入りの合成樹脂材で形成するので、金属で形成する場合と同等の強度が得られるうえ、冷却され難くなって着霜をより確実に低減できる。
【発明を実施するための最良の形態】
【００１２】
図３は本発明を適用した立型の冷凍冷蔵ショーケースを示しており、ケース本体には、前面が開口した陳列室１と、冷気循環用の循環路２とを含む。陳列室１内には、上下多段の商品陳列用の陳列棚３を配置してある。循環路２は、陳列室１の周壁と、ケース本体の断熱外壁４との間に設けられている。循環路２内の上流側には、ボックス型ファン５および熱交換器６が配置される。
【００１３】
熱交換器６で冷却された冷気は、ボックス型ファン５の送風によって循環路２を通って冷気吹出口７から陳列室１内へ吹き出したのち、冷気吸込口８から循環路２内に吸い込まれて熱交換器６へ循環する。これにより、陳列室１に冷気が循環供給される。
【００１４】
ボックス型ファン５は、図１および図２に示すごとく、小形の軸流ファンになっており、通風口１１を有する薄型四角形状の取付枠１２と、３枚の羽根１３を一体化したモータ１４とを含んでいる。取付枠１２は、外周枠部材１５と、通風口１１の中央にモータ１４を支持固定するボス部材１６と、外周枠部材１５とボス部材１６とをつなぐ４本のステー部材１７とを含んでいる。
【００１５】
取付枠１２の通風口１１は、送風方向の上流側をテーパ状に形成してある。外周枠部材１５とボス部材１６とステー部材１７とは一体に成形されている。
【００１６】
羽根１３と一体に成形されたファンボス１８は、モータ１４の回転子側のケースを兼ねている。各ステー部材１７は、羽根１３の回転方向Ｋに対して斜めに傾いた状態で、取付枠１２の通風口１１に臨んでいる。ボス部材１６は、モータ１４の固定子側を支持している。モータ１４の回転子は永久磁石を含んでおり、モータ１４の固定子は電磁コイルを含んでいる。
【００１７】
ボス部材１６は、取付枠１２から送風方向Ｈの下流側に突出しており、各羽根１３の先端側が、取付枠１２から送風方向Ｈの上流側に突出している。１本のステー部材１７には、モータ１４への配線用のリード線１９が固定されている。モータ１４は、ＤＣ１２Ｖで駆動される。
【００１８】
取付枠１２と、ファンボス１８を含む羽根１３とは、それぞれ強化用のガラス繊維入りの黒色のポリブチレンテレフタレート（ＰＢＴ）樹脂と、アクリルニトリルブタジエンスチロール（ＡＢＳ）樹脂との複合樹脂からなる合成樹脂材で成形されており、表面に高撥水性の塗料からなる塗膜が形成されている。
【００１９】
高撥水性の塗料は、フッ素樹脂粉末とフッ素系ワニスとを主成分としており、図４に示すごとく、塗膜２１と水滴２２との静止接触角Ｔが１５０°以上になる塗料が用いられている。高撥水性の塗料としては、ＮＴＴアドバンステクノロジ株式会社製の「ＨＩＲＥＣ４５０」を使用した。
【００２０】
ボックス型ファン５は、取付枠１２と、ファンボス１８を含む羽根１３との外表面にそれぞれ高撥水性の塗料を吹き付け塗装したのちに組み立てられ、この後に取り付けられる（図３の状態）。
【００２１】
冷気は、陳列室１で外気と接触するために湿気を含みやすく、この湿気によって取付枠１２や羽根１３の外表面に結露が生じる。この結露により生じた水滴２２は、高撥水性の塗膜２１によってほぼ球状になっており（図４参照）、高撥水性の塗膜２１上を転がってボックス型ファン５から転げ落ちる。これによって前記水滴２２が、取付枠１２や羽根１３の外表面上に残留して凍りつくことが防止される。
【００２２】
水滴２２は、前記静止接触角Ｔが１８０°に近付いて球体に近付くほど転がりやすくなるため、高撥水性の塗料としては、塗膜２１と水滴２２との静止接触角Ｔが１５０°〜１８０°となる塗料が選択される。
【００２３】
結露は、取付枠１２の通風口１１の内壁面や各ステー部材１７および各羽根１３の回転方向の先端縁に生じやすいので、高撥水性の塗料は、少なくとも取付枠１２の通風口１１に臨む内壁面と、各ステー部材１７と、各羽根１３との外表面に塗装しておけばよく、ボックス型ファン５の全体を塗布する必要はない。また、ボックス型ファン５を組み立てたのち、ボックス型ファン５に高撥水性の塗料を吹き付け塗装してもよい。
【００２４】
冷凍冷蔵ショーケースは、必要に応じてボックス型ファン５を複数個設けてもよい。冷凍冷蔵ショーケースは、冷蔵のみ行なうものや冷凍のみ行なうものであってもよく、また平型のオープンショーケースであってもよい。
【図面の簡単な説明】
【００２５】
【図１】ボックス型ファンの背面図
【図２】ボックス型ファンの段面図
【図３】冷凍冷蔵ショーケースの構成を示す断面図
【図４】塗膜と水滴との静止接触角を説明する図
【符号の説明】
【００２６】
１  陳列室
２  循環路
５  ボックス型ファン
１１  通風口
１２  取付枠
１３  羽根
１４  モータ
１５  外周枠部
１６  ボス部材
１７  ステー部材
２１  塗膜
２２  水滴
Ｔ  静止接触角
【図１】
2005120991.tif 000003
【図２】
2005120991.tif 000004
【図３】
2005120991.tif 000005
【図４】
2005120991.tif 000006